(57)【特許請求の範囲】
【請求項１】
送信シンボルに対する全パターンの変調信号から所定の規則性に基づいて選択された変調パターンを記憶する記憶手段と、
送信シンボルのビットパターンからシンボルパラメータを生成するシンボルパラメータ生成手段と、
送信シンボルをカウントしてシンボル番号を生成するシンボル番号生成手段と、
前記シンボルパラメータ生成手段によって生成されたシンボルパラメータおよび前記シンボル番号生成手段によって生成されたシンボル番号に基づいて、前記記憶手段に記憶された変調パターンのアドレスを生成するアドレス生成手段と、
前記シンボルパラメータ生成手段によって生成されたシンボルパラメータおよび前記シンボル番号生成手段によって生成されたシンボル番号に基づいて、前記記憶手段に記憶された変調パターンの正負反転の有無を判定する判定手段と、
前記記憶手段から前記アドレス生成手段によって生成されたアドレスに対応づけて読み出された変調パターンおよび前記判定手段の判定結果に基づいて、送信シンボルの変調信号を生成する変調信号生成手段と、
を具備することを特徴とする変調信号生成装置。
【請求項２】
前記記憶手段は、
送信シンボルに対する全パターンの変調信号から所定の規則性に基づいて選択された同相成分用の変調パターンを記憶する第１記憶手段と、
送信シンボルに対する全パターンの変調信号から所定の規則性に基づいて選択された直交成分用の変調パターンを記憶する第２記憶手段とを有し、
前記アドレス生成手段は、
前記シンボルパラメータ生成手段によって生成されたシンボルパラメータおよび前記シンボル番号生成手段によって生成されたシンボル番号に基づいて、前記第１記憶手段に記憶された同相成分用の変調パターンのアドレスを生成する第１アドレス生成手段と、
前記シンボルパラメータ生成手段によって生成されたシンボルパラメータおよび前記シンボル番号生成手段によって生成されたシンボル番号に基づいて、前記第２記憶手段に記憶された直交成分用の変調パターンのアドレスを生成する第２アドレス生成手段とを有し、
前記判定手段は、
前記シンボルパラメータ生成手段によって生成されたシンボルパラメータおよび前記シンボル番号生成手段によって生成されたシンボル番号に基づいて、前記第１記憶手段に記憶された同相成分用の変調パターンおよび前記第２記憶手段に記憶された直交成分用の変調パターンの正負反転の有無を判定し、
前記変調信号生成手段は、
前記第１記憶手段から前記第１アドレス生成手段によって生成されたアドレスに対応づけて読み出された同相成分用の変調パターン、前記第２記憶手段から前記第２アドレス生成手段によって生成されたアドレスに対応づけて読み出された直交成分用の変調パターン、および前記判定手段の判定結果に基づいて、送信シンボルの変調信号を生成する、
ことを特徴とする請求項１記載の変調信号生成装置。
【請求項３】
前記アドレス生成手段は、
前記シンボルパラメータ生成手段によって生成されたシンボルパラメータおよび前記シンボル番号生成手段によって生成されたシンボル番号に基づいて、前記記憶手段に記憶された変調パターンのうち同相成分用にする変調パターンのアドレスを生成する第１アドレス生成手段と、
前記シンボルパラメータ生成手段によって生成されたシンボルパラメータおよび前記シンボル番号生成手段によって生成されたシンボル番号に基づいて、前記記憶手段に記憶された変調パターンのうち直交成分用にする変調パターンのアドレスを生成する第２アドレス生成手段とを有し、
前記判定手段は、
前記シンボルパラメータ生成手段によって生成されたシンボルパラメータおよび前記シンボル番号生成手段によって生成されたシンボル番号に基づいて、前記記憶手段に記憶された、同相成分および直交成分用にする変調パターンの正負反転の有無を判定し、
前記変調信号生成手段は、
前記記憶手段から前記第１アドレス生成手段によって生成されたアドレスに対応づけて読み出された同相成分用にする変調パターン、前記記憶手段から第２アドレス生成手段によって生成されたアドレスに対応づけて読み出された直交成分用にする変調パターン、および前記判定手段の判定結果に基づいて、送信シンボルの変調信号を生成する、
ことを特徴とする請求項１記載の変調信号生成装置。
【請求項４】
前記記憶手段に記憶された各変調パターンは、全パターンの変調信号から所定の規則性に基づいて選択された同相成分用および直交成分用の変調パターンを組み合わせて構成されていることを特徴とする請求項１記載の変調信号生成装置。
【請求項５】
請求項１から請求項４のいずれかに記載の変調信号生成装置を有することを特徴とする移動局装置。
【請求項６】
請求項１から請求項４のいずれかに記載の変調信号生成装置を有することを特徴とする基地局装置。
【請求項７】
送信シンボルのビットパターンからシンボルパラメータを生成するシンボルパラメータ生成ステップと、
送信シンボルをカウントしてシンボル番号を生成するシンボル番号生成ステップと、
前記シンボルパラメータ生成ステップで生成したシンボルパラメータおよび前記シンボル番号生成ステップで生成したシンボル番号に基づいて、送信シンボルに対する全パターンの変調信号から所定の規則性に基づいて選択された変調パターンを記憶する記憶手段に記憶された変調パターンのアドレスを生成するアドレス生成ステップと、
前記シンボルパラメータ生成ステップで生成したシンボルパラメータおよび前記シンボル番号生成ステップで生成したシンボル番号に基づいて、前記記憶手段に記憶された変調パターンの正負反転の有無を判定する判定ステップと、
前記記憶手段から前記アドレス生成ステップで生成したアドレスに対応づけて読み出した変調パターンおよび前記判定ステップでの判定結果に基づいて、送信シンボルの変調信号を生成する変調信号生成ステップと、
を具備することを特徴とする変調信号生成方法。
【請求項８】
受信シンボルに対する全パターンの逆回転信号から所定の規則性に基づいて選択された逆回転パターンを記憶する記憶手段と、
受信シンボルをカウントしてシンボル番号を生成するシンボル番号生成手段と、
前記シンボル番号生成手段によって生成されたシンボル番号に基づいて、前記記憶手段に記憶された逆回転パターンのアドレスを生成するアドレス生成手段と、
前記シンボル番号生成手段によって生成されたシンボル番号に基づいて、前記記憶手段に記憶された逆回転パターンの正負反転の有無を判定する判定手段と、
前記記憶手段から前記アドレス生成手段によって生成されたアドレスに対応づけて読み出された逆回転パターンおよび前記判定手段の判定結果に基づいて、受信シンボルの逆回転信号を生成する逆回転信号生成手段と、
を具備することを特徴とする逆回転信号生成装置。
【請求項９】
前記記憶手段は、
受信シンボルに対する全パターンの逆回転信号から所定の規則性に基づいて選択された余弦成分用の逆回転パターンを記憶する第１記憶手段と、
受信シンボルに対する全パターンの逆回転信号から所定の規則性に基づいて選択された正弦成分用の逆回転パターンを記憶する第２記憶手段とを有し、
前記アドレス生成手段は、
前記シンボル番号生成手段によって生成されたシンボル番号に基づいて、前記第１記憶手段に記憶された余弦成分用の逆回転パターンのアドレスを生成する第１アドレス生成手段と、
前記シンボル番号生成手段によって生成されたシンボル番号に基づいて、前記第２記憶手段に記憶された正弦成分用の逆回転パターンのアドレスを生成する第２アドレス生成手段とを有し、
前記判定手段は、
前記シンボル番号生成手段によって生成されたシンボル番号に基づいて、前記第１記憶手段に記憶された余弦成分用の逆回転パターンおよび前記第２記憶手段に記憶された正弦成分用の逆回転パターンの正負反転の有無を判定し、
前記逆回転信号生成手段は、
前記第１記憶手段から前記第１アドレス生成手段によって生成されたアドレスに対応づけて読み出された余弦成分用の逆回転パターン、前記第２記憶手段から前記第２アドレス生成手段によって生成されたアドレスに対応づけて読み出された正弦成分用の逆回転パターン、および前記判定手段の判定結果に基づいて、受信シンボルの逆回転信号を生成する、
ことを特徴とする請求項８記載の逆回転信号生成装置。
【請求項１０】
前記アドレス生成手段は、
前記シンボル番号生成手段によって生成されたシンボル番号に基づいて、前記記憶手段に記憶された逆回転パターンのうち余弦成分用にする逆回転パターンのアドレスを生成する第１アドレス生成手段と、
前記シンボル番号生成手段によって生成されたシンボル番号に基づいて、前記記憶手段に記憶された変調パターンのうち正弦成分用にする逆回転パターンのアドレスを生成する第２アドレス生成手段とを有し、
前記判定手段は、
前記シンボル番号生成手段によって生成されたシンボル番号に基づいて、前記記憶手段に記憶された余弦成分および正弦成分用にする逆回転パターンの正負反転の有無を判定し、
前記逆回転信号生成手段は、
前記記憶手段から前記第１アドレス生成手段によって生成されたアドレスに対応づけて読み出された余弦成分用にする逆回転パターン、前記記憶手段から第２アドレス生成手段によって生成されたアドレスに対応づけて読み出された正弦成分用にする逆回転パターン、および前記判定手段の判定結果に基づいて、受信シンボルの逆回転信号を生成する、
ことを特徴とする請求項８記載の逆回転信号生成装置。
【請求項１１】
前記記憶手段に記憶された各逆回転パターンは、全パターンの逆回転信号から所定の規則性に基づいて選択された余弦成分用および正弦成分用の逆回転パターンを組み合わせて構成されていることを特徴とする請求項８記載の逆回転信号生成装置。
【請求項１２】
請求項８から請求項１１のいずれかに記載の逆回転信号生成装置を有することを特徴とする移動局装置。
【請求項１３】
請求項８から請求項１１のいずれかに記載の逆回転信号生成装置を有することを特徴とする基地局装置。
【請求項１４】
受信シンボルをカウントしてシンボル番号を生成するシンボル番号生成ステップと、
前記シンボル番号生成ステップで生成したシンボル番号に基づいて、受信シンボルに対する全パターンの逆回転信号から所定の規則性に基づいて選択された逆回転パターンを記憶する記憶手段に記憶された逆回転パターンのアドレスを生成するアドレス生成ステップと、
前記シンボル番号生成ステップで生成したシンボル番号に基づいて、前記記憶手段に記憶された逆回転パターンの正負反転の有無を判定する判定ステップと、前記記憶手段から前記アドレス生成ステップで生成したアドレスに対応づけて読み出した逆回転パターンおよび前記判定ステップでの判定結果に基づいて、受信シンボルの逆回転信号を生成する逆回転信号生成ステップと、
を具備することを特徴とする逆回転信号生成方法。
【発明の詳細な説明】
【０００１】
【発明の属する技術分野】
本発明は、ＥＤＧＥ（Enhanced Data rates for Global Evolution）の規格として採用されている３π／８回転８ＰＳＫ（Phase Shift Keying）の変調信号生成装置および逆回転信号生成装置に関する。
【０００２】
【従来の技術】
ＰＳＫは、搬送波の位相を送信信号に対応させて変化させる変調方式であり、ＰＳＫの１つである８ＰＳＫを３π／８回転させる変調方式（３π／８回転８ＰＳＫ）は、ＥＤＧＥの規格として採用され、次世代ＧＳＭ方式携帯電話に使用される予定である。
【０００３】
３π／８回転８ＰＳＫの変調信号の全パターン数は、図１９に示すシンボルパラメータ生成表に基づいて送信シンボル（３ビット単位の送信データ）のシンボルパターンが８パターンと、図２０に示す３π／８の位相回転によるシンボルマッピング位置が１６パターンと、同相成分および直交成分の２通りとから算出され、８×１６×２＝２５６パターンである。従って、１変調信号を１ワードで記憶する場合、変調信号の全パターンを記憶するためには２５６ワードのメモリが必要になる。
【０００４】
次に、３π／８回転８ＰＳＫの変調信号を復調する場合は、受信した信号に対して変調時にかけた位相回転の逆回転信号をかける必要がある。逆回転信号の全パターン数は、図２０に示す３π／８の位相逆回転によるシンボルマッピング位置が１６パターンと、余弦成分および正弦成分の２通りとから算出され、１６×２＝３２パターンである。従って、１逆回転信号を１ワードで記憶する場合、逆回転信号の全パターンを記憶するために３２ワードのメモリが必要となる。
【０００５】
従って、従来の変調信号生成装置において、変調信号を生成するためには２５６ワードのメモリが必要になる。また、従来の逆回転信号生成装置において、逆回転信号を生成するためには３２ワードのメモリが必要になる。
【０００６】
【発明が解決しようとする課題】
しかしながら、従来の変調信号生成装置および逆回転信号生成装置は、変調信号および逆回転信号を生成するに際して演算に必要な全パターンの信号を記憶するためメモリ量が多くなり、装置の小型化を阻害するという問題が生じる。
【０００７】
本発明は、かかる点に鑑みてなされたものであり、必要なメモリ量を削減することができる変調信号生成装置および逆回転信号生成装置を提供することを目的とする。
【０００８】
【課題を解決するための手段】
本発明の変調信号生成装置は、送信シンボルに対する全パターンの変調信号から所定の規則性に基づいて選択された変調パターンを記憶する記憶手段と、送信シンボルのビットパターンからシンボルパラメータを生成するシンボルパラメータ生成手段と、送信シンボルをカウントしてシンボル番号を生成するシンボル番号生成手段と、前記シンボルパラメータ生成手段によって生成されたシンボルパラメータおよび前記シンボル番号生成手段によって生成されたシンボル番号に基づいて、前記記憶手段に記憶された変調パターンのアドレスを生成するアドレス生成手段と、前記シンボルパラメータ生成手段によって生成されたシンボルパラメータおよび前記シンボル番号生成手段によって生成されたシンボル番号に基づいて、前記記憶手段に記憶された変調パターンの正負反転の有無を判定する判定手段と、前記記憶手段から前記アドレス生成手段によって生成されたアドレスに対応づけて読み出された変調パターンおよび前記判定手段の判定結果に基づいて、送信シンボルの変調信号を生成する変調信号生成手段と、を具備する構成を採る。
【０００９】
この構成によれば、送信シンボルに対する全パターンの変調信号から所定の規則性に基づいて選択された変調パターンのみを記憶しておき、シンボルパラメータとシンボル番号を用いてアドレスを生成し、生成したアドレスに対応づけて読み出した変調パターンに対してシンボルパラメータとシンボル番号に応じた正負反転を行って変調信号を生成するため、必要なメモリ量を削減することができる。また、ハードウェアで実現する場合は、アドレス計算のみのハードウェア構成になるため、符号なしの少ないビット数の論理演算だけで実現することができ、回路規模を小さくすることができる。
【００１０】
本発明の変調信号生成装置は、上記構成において、前記記憶手段は、送信シンボルに対する全パターンの変調信号から所定の規則性に基づいて選択された同相成分用の変調パターンを記憶する第１記憶手段と、送信シンボルに対する全パターンの変調信号から所定の規則性に基づいて選択された直交成分用の変調パターンを記憶する第２記憶手段とを有し、前記アドレス生成手段は、前記シンボルパラメータ生成手段によって生成されたシンボルパラメータおよび前記シンボル番号生成手段によって生成されたシンボル番号に基づいて、前記第１記憶手段に記憶された同相成分用の変調パターンのアドレスを生成する第１アドレス生成手段と、前記シンボルパラメータ生成手段によって生成されたシンボルパラメータおよび前記シンボル番号生成手段によって生成されたシンボル番号に基づいて、前記第２記憶手段に記憶された直交成分用の変調パターンのアドレスを生成する第２アドレス生成手段とを有し、前記判定手段は、前記シンボルパラメータ生成手段によって生成されたシンボルパラメータおよび前記シンボル番号生成手段によって生成されたシンボル番号に基づいて、前記第１記憶手段に記憶された同相成分用の変調パターンおよび前記第２記憶手段に記憶された直交成分用の変調パターンの正負反転の有無を判定し、前記変調信号生成手段は、前記第１記憶手段から前記第１アドレス生成手段によって生成されたアドレスに対応づけて読み出された同相成分用の変調パターン、前記第２記憶手段から前記第２アドレス生成手段によって生成されたアドレスに対応づけて読み出された直交成分用の変調パターン、および前記判定手段の判定結果に基づいて、送信シンボルの変調信号を生成する、構成を採る。
【００１１】
この構成によれば、送信シンボルに対する全パターンの変調信号から所定の規則性に基づいて選択された同相成分および直交成分用の変調パターンを成分ごとに記憶しておき、シンボルパラメータとシンボル番号を用いて同相成分および直交成分用の変調パターンのアドレスをそれぞれ生成し、生成したアドレスに対応づけて読み出した同相成分および直交成分用の変調パターンに対してシンボルパラメータとシンボル番号に応じた正負反転を行って変調信号を生成するため、必要なメモリ量を削減することができる。また、ハードウェアで実現する場合は、アドレス計算のみのハードウェア構成になるため、符号なしの少ないビット数の論理演算だけで実現することができ、回路規模を小さくすることができる。
【００１２】
本発明の変調信号生成装置は、上記構成において、前記アドレス生成手段は、前記シンボルパラメータ生成手段によって生成されたシンボルパラメータおよび前記シンボル番号生成手段によって生成されたシンボル番号に基づいて、前記記憶手段に記憶された変調パターンのうち同相成分用にする変調パターンのアドレスを生成する第１アドレス生成手段と、前記シンボルパラメータ生成手段によって生成されたシンボルパラメータおよび前記シンボル番号生成手段によって生成されたシンボル番号に基づいて、前記記憶手段に記憶された変調パターンのうち直交成分用にする変調パターンのアドレスを生成する第２アドレス生成手段とを有し、前記判定手段は、前記シンボルパラメータ生成手段によって生成されたシンボルパラメータおよび前記シンボル番号生成手段によって生成されたシンボル番号に基づいて、前記記憶手段に記憶された、同相成分および直交成分用にする変調パターンの正負反転の有無を判定し、前記変調信号生成手段は、前記記憶手段から前記第１アドレス生成手段によって生成されたアドレスに対応づけて読み出された同相成分用にする変調パターン、前記記憶手段から第２アドレス生成手段によって生成されたアドレスに対応づけて読み出された直交成分用にする変調パターン、および前記判定手段の判定結果に基づいて、送信シンボルの変調信号を生成する、構成を採る。
【００１３】
この構成によれば、送信シンボルに対する全パターンの変調信号から所定の規則性に基づいて選択された変調パターンを記憶しておき、シンボルパラメータとシンボル番号を用いて同相成分および直交成分用にする変調パターンのアドレスをそれぞれ生成し、生成したアドレスに対応づけて読み出した同相成分および直交成分用にする変調パターンに対してシンボルパラメータとシンボル番号に応じた正負反転を行って変調信号を生成するため、必要なメモリ量を削減することができる。また、ハードウェアで実現する場合は、アドレス計算のみのハードウェア構成になるため、符号なしの少ないビット数の論理演算だけで実現することができ、回路規模を小さくすることができる。
【００１４】
本発明の変調信号生成装置は、上記構成において、前記記憶手段に記憶された各変調パターンは、全パターンの変調信号から所定の規則性に基づいて選択された同相成分用および直交成分用の変調パターンを組み合わせて構成されている構成を採る。
【００１５】
この構成によれば、記憶された各変調パターンが、全パターンの変調信号から所定の規則性に基づいて選択された同相成分用および直交成分用の変調パターンを組み合わせて構成されているため、必要なメモリ量をさらに削減することができる。
【００１６】
本発明の移動局装置は、上記いずれかに記載の変調信号生成装置を有する構成を採る。
【００１７】
この構成によれば、上記と同様の作用効果を有する移動局装置を提供することができる。
【００１８】
本発明の基地局装置は、上記いずれかに記載の変調信号生成装置を有する構成を採る。
【００１９】
この構成によれば、上記と同様の作用効果を有する基地局装置を提供することができる。
【００２０】
本発明の変調信号生成方法は、送信シンボルのビットパターンからシンボルパラメータを生成するシンボルパラメータ生成ステップと、送信シンボルをカウントしてシンボル番号を生成するシンボル番号生成ステップと、前記シンボルパラメータ生成ステップで生成したシンボルパラメータおよび前記シンボル番号生成ステップで生成したシンボル番号に基づいて、送信シンボルに対する全パターンの変調信号から所定の規則性に基づいて選択された変調パターンを記憶する記憶手段に記憶された変調パターンのアドレスを生成するアドレス生成ステップと、前記シンボルパラメータ生成ステップで生成したシンボルパラメータおよび前記シンボル番号生成ステップで生成したシンボル番号に基づいて、前記記憶手段に記憶された変調パターンの正負反転の有無を判定する判定ステップと、前記記憶手段から前記アドレス生成ステップで生成したアドレスに対応づけて読み出した変調パターンおよび前記判定ステップでの判定結果に基づいて、送信シンボルの変調信号を生成する変調信号生成ステップと、を具備するようにした。
【００２１】
この方法によれば、送信シンボルに対する全パターンの変調信号から所定の規則性に基づいて選択された変調パターンのみを記憶しておき、シンボルパラメータとシンボル番号を用いてアドレスを生成し、生成したアドレスに対応づけて読み出した変調パターンに対してシンボルパラメータとシンボル番号に応じた正負反転を行って変調信号を生成するため、必要なメモリ量を削減することができる。また、ハードウェアで実現する場合は、アドレス計算のみのハードウェア構成になるため、符号なしの少ないビット数の論理演算だけで実現することができ、回路規模を小さくすることができる。
【００２２】
本発明の逆回転信号生成装置は、受信シンボルに対する全パターンの逆回転信号から所定の規則性に基づいて選択された逆回転パターンを記憶する記憶手段と、受信シンボルをカウントしてシンボル番号を生成するシンボル番号生成手段と、前記シンボル番号生成手段によって生成されたシンボル番号に基づいて、前記記憶手段に記憶された逆回転パターンのアドレスを生成するアドレス生成手段と、前記シンボル番号生成手段によって生成されたシンボル番号に基づいて、前記記憶手段に記憶された逆回転パターンの正負反転の有無を判定する判定手段と、前記記憶手段から前記アドレス生成手段によって生成されたアドレスに対応づけて読み出された逆回転パターンおよび前記判定手段の判定結果に基づいて、受信シンボルの逆回転信号を生成する逆回転信号生成手段と、を具備する構成を採る。
【００２３】
この構成によれば、受信シンボルに対する全パターンの逆回転信号から所定の規則性に基づいて選択された逆回転パターンのみを記憶しておき、シンボル番号を用いてアドレスを生成し、生成したアドレスに対応づけて読み出した逆回転パターンに対してシンボル番号に応じた正負反転を行って逆回転信号を生成するため、必要なメモリ量を削減することができる。また、ハードウェアで実現する場合は、アドレス計算のみのハードウェア構成になるため、符号なしの少ないビット数の論理演算だけで実現することができ、回路規模を小さくすることができる。
【００２４】
本発明の逆回転信号生成装置は、上記構成において、前記記憶手段は、受信シンボルに対する全パターンの逆回転信号から所定の規則性に基づいて選択された余弦成分用の逆回転パターンを記憶する第１記憶手段と、受信シンボルに対する全パターンの逆回転信号から所定の規則性に基づいて選択された正弦成分用の逆回転パターンを記憶する第２記憶手段とを有し、前記アドレス生成手段は、前記シンボル番号生成手段によって生成されたシンボル番号に基づいて、前記第１記憶手段に記憶された余弦成分用の逆回転パターンのアドレスを生成する第１アドレス生成手段と、前記シンボル番号生成手段によって生成されたシンボル番号に基づいて、前記第２記憶手段に記憶された正弦成分用の逆回転パターンのアドレスを生成する第２アドレス生成手段とを有し、前記判定手段は、前記シンボル番号生成手段によって生成されたシンボル番号に基づいて、前記第１記憶手段に記憶された余弦成分用の逆回転パターンおよび前記第２記憶手段に記憶された正弦成分用の逆回転パターンの正負反転の有無を判定し、前記逆回転信号生成手段は、前記第１記憶手段から前記第１アドレス生成手段によって生成されたアドレスに対応づけて読み出された余弦成分用の逆回転パターン、前記第２記憶手段から前記第２アドレス生成手段によって生成されたアドレスに対応づけて読み出された正弦成分用の逆回転パターン、および前記判定手段の判定結果に基づいて、受信シンボルの逆回転信号を生成する、構成を採る。
【００２５】
この構成によれば、受信シンボルに対する全パターンの逆回転信号から所定の規則性に基づいて選択された余弦成分および正弦成分用の逆回転パターンを成分ごとに記憶しておき、シンボル番号を用いて余弦成分および正弦成分用の逆回転パターンのアドレスをそれぞれ生成し、生成したアドレスに対応づけて読み出した余弦成分および正弦成分用の逆回転パターンに対してシンボル番号に応じた正負反転を行って逆回転信号を生成するため、必要なメモリ量を削減することができる。また、ハードウェアで実現する場合は、アドレス計算のみのハードウェア構成になるため、符号なしの少ないビット数の論理演算だけで実現することができ、回路規模を小さくすることができる。
【００２６】
本発明の逆回転信号生成装置は、上記構成において、前記アドレス生成手段は、前記シンボル番号生成手段によって生成されたシンボル番号に基づいて、前記記憶手段に記憶された逆回転パターンのうち余弦成分用にする逆回転パターンのアドレスを生成する第１アドレス生成手段と、前記シンボル番号生成手段によって生成されたシンボル番号に基づいて、前記記憶手段に記憶された変調パターンのうち正弦成分用にする逆回転パターンのアドレスを生成する第２アドレス生成手段とを有し、前記判定手段は、前記シンボル番号生成手段によって生成されたシンボル番号に基づいて、前記記憶手段に記憶された、余弦成分および正弦成分用にする逆回転パターンの正負反転の有無を判定し、前記逆回転信号生成手段は、前記記憶手段から前記第１アドレス生成手段によって生成されたアドレスに対応づけて読み出された余弦成分用にする逆回転パターン、前記記憶手段から第２アドレス生成手段によって生成されたアドレスに対応づけて読み出された正弦成分用にする逆回転パターン、および前記判定手段の判定結果に基づいて、受信シンボルの逆回転信号を生成する、構成を採る。
【００２７】
この構成によれば、受信シンボルに対する全パターンの逆回転信号から所定の規則性に基づいて選択された逆回転パターンを記憶しておき、シンボル番号を用いて余弦成分および正弦成分用にする逆回転パターンのアドレスをそれぞれ生成し、生成したアドレスに対応づけて読み出した余弦成分および正弦成分用にする逆回転パターンに対してシンボル番号に応じた正負反転を行って逆回転信号を生成するため、必要なメモリ量を削減することができる。また、ハードウェアで実現する場合は、アドレス計算のみのハードウェア構成になるため、符号なしの少ないビット数の論理演算だけで実現することができ、回路規模を小さくすることができる。
【００２８】
本発明の逆回転信号生成装置は、上記構成において、前記記憶手段に記憶された各逆回転パターンは、全パターンの逆回転信号から所定の規則性に基づいて選択された余弦成分用および正弦成分用の逆回転パターンを組み合わせて構成されている構成を採る。
【００２９】
この構成によれば、記憶された各逆回転パターンが、全パターンの逆回転信号から所定の規則性に基づいて選択された余弦成分用および正弦成分用の逆回転パターンを組み合わせて構成されているため、必要なメモリ量をさらに削減することができる。
【００３０】
本発明の移動局装置は、上記いずれかに記載の逆回転信号生成装置を有する構成を採る。
【００３１】
この構成によれば、上記と同様の作用効果を有する移動局装置を提供することができる。
【００３２】
本発明の基地局装置は、上記いずれかに記載の逆回転信号生成装置を有する構成を採る。
【００３３】
この構成によれば、上記と同様の作用効果を有する基地局装置を提供することができる。
【００３４】
本発明の逆回転信号生成方法は、受信シンボルをカウントしてシンボル番号を生成するシンボル番号生成ステップと、前記シンボル番号生成ステップで生成したシンボル番号に基づいて、受信シンボルに対する全パターンの逆回転信号から所定の規則性に基づいて選択された逆回転パターンを記憶する記憶手段に記憶された逆回転パターンのアドレスを生成するアドレス生成ステップと、前記シンボル番号生成ステップで生成したシンボル番号に基づいて、前記記憶手段に記憶された逆回転パターンの正負反転の有無を判定する判定ステップと、前記記憶手段から前記アドレス生成ステップで生成したアドレスに対応づけて読み出した逆回転パターンおよび前記判定ステップでの判定結果に基づいて、受信シンボルの逆回転信号を生成する逆回転信号生成ステップと、を具備するようにした。
【００３５】
この方法によれば、受信シンボルに対する全パターンの逆回転信号から所定の規則性に基づいて選択された逆回転パターンのみを記憶しておき、シンボル番号を用いてアドレスを生成し、生成したアドレスに対応づけて読み出した逆回転パターンに対してシンボル番号に応じた正負反転を行って逆回転信号を生成するため、必要なメモリ量を削減することができる。また、ハードウェアで実現する場合は、アドレス計算のみのハードウェア構成になるため、符号なしの少ないビット数の論理演算だけで実現することができ、回路規模を小さくすることができる。
【００３６】
【発明の実施の形態】
本発明の第１の骨子は、送信シンボルに対する全パターンの変調信号から所定の規則性に基づいて選択された変調パターンのみを記憶しておき、シンボルパラメータとシンボル番号を用いてアドレスを生成し、生成したアドレスに対応づけて読み出した変調パターンに対してシンボルパラメータとシンボル番号に応じた正負反転を行って変調信号を生成することにより、必要なメモリ量を削減することである。
【００３７】
本発明の第２の骨子は、受信シンボルに対する全パターンの逆回転信号から所定の規則性に基づいて選択された逆回転パターンのみを記憶しておき、シンボル番号を用いてアドレスを生成し、生成したアドレスに対応づけて読み出した逆回転パターンに対してシンボル番号に応じた正負反転を行って逆回転信号を生成することにより、必要なメモリ量を削減することである。
【００３８】
以下、本発明の実施の形態について、図面を参照して説明する。
【００３９】
（実施の形態１）
図１は、本発明の実施の形態１に係る変調信号生成装置の構成を示すブロック図である。
【００４０】
図１に示す変調信号生成装置１００は、入力端子１０１と、シンボルパラメータ生成部１０２と、シンボル番号生成部１０３と、同相成分用アドレス生成部１０４と、直交成分用アドレス生成部１０５と、正負反転判定部１０８と、同相成分用変調パターン記憶部１０６と、直交成分用変調パターン記憶部１０７と、変調信号生成部１０９と、出力端子１１０、１１１とを備えている。
【００４１】
シンボルパラメータ生成部１０２は、入力端子１０１を介して入力された送信データから送信シンボルを抽出し、図１９に示すシンボルパラメータ生成表に従い、送信シンボルのビット列に対応するシンボルパラメータを同相成分用アドレス生成部１０４と、直交成分用アドレス生成部１０５と、正負反転判定部１０８とにそれぞれ出力する。
【００４２】
シンボル番号生成部１０３は、入力端子１０１を介して入力された送信データから送信シンボルを抽出し、送信シンボルをカウントして得られるシンボル番号を同相成分用アドレス生成部１０４と、直交成分用アドレス生成部１０５と、正負反転判定部１０８とにそれぞれ出力する。
【００４３】
同相成分用アドレス生成部１０４は、入力されたシンボルパラメータとシンボル番号とに基づいてアドレスを生成し、生成したアドレスを同相成分用変調パターン記憶部１０６に出力する。
【００４４】
直交成分用アドレス生成部１０５は、入力されたシンボルパラメータとシンボル番号とに基づいてアドレスを生成し、生成したアドレスを直交成分用変調パターン記憶部１０７に出力する。
【００４５】
同相成分用変調パターン記憶部１０６は、シンボルパラメータとシンボル番号とに基づいて生成されるアドレスに対応して同相成分用の変調パターンを記憶しており、同相成分用アドレス生成部１０４からアドレスが入力された場合に、当該アドレスに記憶された同相成分用の変調パターンを変調信号生成部１０９に出力する。
【００４６】
直交成分用変調パターン記憶部１０７は、シンボルパラメータとシンボル番号とに基づいて生成されるアドレスに対応して直交成分用の変調パターンを記憶しており、直交成分用アドレス生成部１０５からアドレスが入力された場合に、当該アドレスに記憶された直交成分用の変調パターンを変調信号生成部１０９に出力する。
【００４７】
図２（Ａ）および図２（Ｂ）は、それぞれ、同相成分用変調パターン記憶部１０６および直交成分用変調パターン記憶部１０７におけるメモリ内容の一例を示している。同相成分および直交成分用の変調パターンを各記憶部１０６、１０７に記憶するに際しては、変調信号の規則性に着目して、シンボルパラメータとシンボル番号から生成される各アドレスと、正負反転有無の判定結果とから全パターンの変調信号（同相成分と直交成分）を生成できるように、同相成分および直交成分用の変調パターンが選択されている。このように同相成分および直交成分用の変調パターンを各記憶部１０６、１０７に記憶することにより、たとえば、２５６ワード必要なメモリ量を、同相成分用９ワードと直交成分用９ワードの合わせて１８ワードのメモリ量に削減することができる。
【００４８】
正負反転判定部１０８は、シンボルパラメータとシンボル番号とに基づいて、同相成分用変調パターン記憶部１０６および直交成分用変調パターン記憶部１０７に記憶された変調パターンを変調信号に変換するために必要な正負反転の有無を判定し、この判定結果を変調信号生成部１０９に出力する。
【００４９】
変調信号生成部１０９は、正負反転判定部１０８の判定結果に基づいて、同相成分および直交成分用の変調パターンの正負反転を行い、同相成分および直交成分の変調信号を生成し、生成した同相成分および直交成分の変調信号を出力端子１１０、１１１からそれぞれ出力する。
【００５０】
次いで、上記構成を有する変調信号生成装置１００の動作について、図３のフローチャートを参照して説明する。
【００５１】
まず、ＳＴ１０００では、入力端子１０１から送信シンボルのビット列を入力し、シンボルパラメータ生成部１０２と、シンボル番号生成部１０３とにそれぞれ出力する。
【００５２】
そして、ＳＴ１１００では、シンボルパラメータ生成部１０２で、図１９に示すシンボルパラメータ生成表に従い、ＳＴ１０００で入力したビット列に対応するシンボルパラメータを同相成分用アドレス生成部１０４と、直交成分用アドレス生成部１０５と、正負反転判定部１０８とにそれぞれ出力する。また、シンボル番号生成部１０３で、同じくＳＴ１０００で入力したビット列のシンボル番号をカウントして、同相成分用アドレス生成部１０４と、直交成分用アドレス生成部１０５と、正負反転判定部１０８とにそれぞれ出力する。
【００５３】
そして、ＳＴ１２００では、同相成分用アドレス生成部１０４で、ＳＴ１１００でそれぞれ生成したシンボルパラメータとシンボル番号とに基づいて同相成分用のアドレスを生成し、生成したアドレスを同相成分用変調パターン記憶部１０６に出力する。また、直交成分用アドレス生成部１０５で、同じくＳＴ１１００でそれぞれ生成したシンボルパラメータとシンボル番号とに基づいて直交成分用のアドレスを生成し、生成したアドレスを直交成分用変調パターン記憶部１０７に出力する。また、正負反転判定部１０８で、同じくＳＴ１１００でそれぞれ生成したシンボルパラメータとシンボル番号とに基づいて変調パターンの正負反転の有無を判定し、判定結果を変調信号生成部１０９に出力する。
【００５４】
そして、ＳＴ１３００では、同相成分用変調パターン記憶部１０６から、ＳＴ１２００で生成した同相成分用アドレスに対応する同相成分用の変調パターンを読み出し、読み出した同相成分用の変調パターンを変調信号生成部１０９に出力する。また、直交成分用変調パターン記憶部１０７から、同じくＳＴ１２００で生成した直交成分アドレスに対応する直交成分用の変調パターンを読み出し、読み出した直交成分用の変調パターンを変調信号生成部１０９に出力する。
【００５５】
そして、ＳＴ１４００では、変調信号生成部１０９で、ＳＴ１３００で読み出した同相成分および直交成分用の各変調パターンに対して、ＳＴ１２００における正負反転判定部１０８での判定結果を基に、正負反転の有無を判断する。この判断の結果として正負反転が有る場合は、ＳＴ１５００に進み、正負反転が無い場合は、ただちにＳＴ１６００に進む。
【００５６】
ＳＴ１５００では、変調信号生成部１０９で、正負反転が有ると判定された変調パターンについて、その正負を反転した後、ＳＴ１６００に進む。なお、正負反転が無いと判定された変調パターンについては、正負の反転を行わない。
【００５７】
ＳＴ１６００では、変調信号生成部１０９で、ＳＴ１３００で読み出した同相成分および直交成分用の各変調パターンに対してＳＴ１２００での判定結果に基づく正負反転処理（ＳＴ１４００、ＳＴ１５００）を施した結果を、それぞれ同相成分および直交成分の変調信号として、出力端子１１０、１１１からそれぞれ出力する。
【００５８】
このように、本実施の形態によれば、送信シンボルに対する全パターンの変調信号から所定の規則性に基づいて選択された同相成分および直交成分用の変調パターンを成分ごとに記憶しておき、シンボルパラメータとシンボル番号を用いて同相成分および直交成分用の変調パターンのアドレスをそれぞれ生成し、生成したアドレスに対応づけて読み出した同相成分および直交成分用の変調パターンに対してシンボルパラメータとシンボル番号に応じた正負反転を行って変調信号を生成するため、必要なメモリ量を削減することができる。たとえば、前述のように、２５６ワード必要なメモリ量を、同相成分用９ワードと直交成分用９ワードの合わせて１８ワードのメモリ量に削減することができる（図２参照）。
【００５９】
また、上記の構成をハードウェアで実現する場合は、アドレス計算のみのハードウェア構成になるため、符号なしの少ないビット数の論理演算だけで実現することができ、回路規模を小さくすることができる。
【００６０】
また、本実施の形態の変調信号生成装置１００は、もちろん、移動局装置や基地局装置に搭載することができる。よって、この場合、同様の作用効果を有する移動局装置や基地局装置を提供することができる。
【００６１】
（実施の形態２）
図４は、本発明の実施の形態２に係る変調信号生成装置の構成を示すブロック図である。なお、この変調信号生成装置２００は、図１に示す変調信号生成装置１００と同様の基本的構成を有しており、同一の構成要素には同一の符号を付し、その説明を省略する。
【００６２】
本実施の形態の特徴は、図４に示すように、図１に示す同相成分用変調パターン記憶部１０６および直交成分用変調パターン記憶部１０７に代えて、１つの変調パターン記憶部２０１を備えることである。そのため、変調パターン記憶部２０１には、同相成分と直交成分に共通の変調パターンが記憶されており、たとえば、同相成分用アドレス生成部１０４ａで生成されたアドレスにオフセットを付けたものが直交成分用のアドレスになるようにした上で、同相成分用アドレス生成部１０４ａで生成されるアドレスに対応して所定の変調パターンが記憶されている。
【００６３】
なお、変調パターン記憶部２０１には、直交成分用アドレス生成部１０５ａで生成されるアドレスに対応して変調パターンを記憶するようにしても良い。この場合は、直交成分用アドレス生成部１０５ａで生成されたアドレスにオフセットを付けたものが同相成分用のアドレスとなる。
【００６４】
図５は、変調パターン記憶部２０１におけるメモリ内容の一例を示している。変調パターンをこの記憶部２０１に記憶するに際しては、変調信号に一定の規則性があること、および、生成された一方のアドレスにオフセットを付けるともう一方のアドレスにすることができることに着目して、シンボルパラメータとシンボル番号から生成されるアドレスと、正負反転有無の判定結果とから全パターンの変調信号（同相成分と直交成分）を生成できるように、所定の変調パターンが選択されている。このように同相成分と直交成分に共通の変調パターンを１つの記憶部２０１に記憶することにより、たとえば、２５６ワード必要なメモリ量を、１２ワードのメモリ量に削減することができる。
【００６５】
次いで、上記構成を有する変調信号生成装置２００の動作について、図６のフローチャートを参照して説明する。なお、ここでは、変調パターン記憶部２０１に、同相成分用アドレス生成部１０４ａで生成されるアドレスに対応して変調パターンが記憶されている場合について説明するが、直交成分用アドレス生成部１０５ａで生成されるアドレスに対応して変調パターンが記憶されている場合についてもほぼ同様な動作となる。
【００６６】
本実施の形態では、図６に示すように、ＳＴ１３１０を図３に示すフローチャートに挿入し、ＳＴ１３００を削除している。
【００６７】
ＳＴ１０００〜ＳＴ１２００は、図３に示すフローチャートの各ステップと同様であるため、その説明を省略する。ただし、本実施の形態では、ＳＴ１２００で、直交成分用アドレス生成部１０５ａで生成されるアドレスは、同相成分用アドレス生成部１０４ａで生成されるアドレスにオフセットを付けたものになっている。また、同じくＳＴ１２００で、同相成分用アドレス生成部１０４ａで生成されたアドレスおよび直交成分用アドレス生成部１０５ａで生成されたアドレスは、それぞれ、変調パターン記憶部２０１に出力される。
【００６８】
そして、ＳＴ１３１０では、変調パターン記憶部２０１から、ＳＴ１２００で生成した同相成分用アドレスに対応する、同相成分用にする変調パターンを読み出し、読み出した変調パターンを同相成分用の変調パターンとして変調信号生成部１０９に出力する。また、同じ変調パターン記憶部２０１から、同じくＳＴ１２００で生成した直交成分アドレスに対応する、直交成分用にする変調パターンを読み出し、読み出した変調パターンを直交成分用の変調パターンとして変調信号生成部１０９に出力する。
【００６９】
ＳＴ１４００〜ＳＴ１６００は、図３に示すフローチャートの各ステップと同様であるため、その説明を省略する。
【００７０】
このように、本実施の形態によれば、送信シンボルに対する全パターンの変調信号から所定の規則性に基づいて選択された変調パターンを記憶しておき、シンボルパラメータとシンボル番号を用いて同相成分および直交成分用にする変調パターンのアドレスをそれぞれ生成し、生成したアドレスに対応づけて読み出した同相成分および直交成分用にする変調パターンに対してシンボルパラメータとシンボル番号に応じた正負反転を行って変調信号を生成するため、必要なメモリ量を削減することができる。たとえば、前述のように、２５６ワード必要なメモリ量を、１２ワードのメモリ量に削減することができ（図５参照）、実施の形態１の場合よりもさらに６ワードのメモリ量を削減することができる。
【００７１】
また、上記の構成をハードウェアで実現する場合は、アドレス計算のみのハードウェア構成になるため、符号なしの少ないビット数の論理演算だけで実現することができ、回路規模を小さくすることができる。
【００７２】
また、本実施の形態の変調信号生成装置２００は、もちろん、移動局装置や基地局装置に搭載することができる。よって、この場合、同様の作用効果を有する移動局装置や基地局装置を提供することができる。
【００７３】
（実施の形態３）
図７は、本発明の実施の形態３に係る変調信号生成装置の構成を示すブロック図である。なお、この変調信号生成装置３００は、図１に示す変調信号生成装置１００と同様の基本的構成を有しており、同一の構成要素には同一の符号を付し、その説明を省略する。
【００７４】
本実施の形態の特徴は、図７に示すように、図１に示す同相成分用アドレス生成部１０４、直交成分用アドレス生成部１０５、同相成分用変調パターン記憶部１０６、および直交成分用変調パターン記憶部１０７に代えて、１つのアドレス生成部３０１と、１つの変調パターン記憶部３０２を備えることである。
【００７５】
ここで、アドレス生成部３０１は、入力されたシンボルパラメータとシンボル番号とに基づいて、同相成分と直交成分に共通の１つのアドレスを生成し、変調パターン記憶部３０２に出力する。また、変調パターン記憶部３０２は、アドレス生成部３０１で生成された、同相成分と直交成分に共通のアドレスに対応して同相成分および直交成分用の変調パターンを記憶している。たとえば、変調パターン記憶部３０２に記憶させる変調パターンのビット幅を全部で１６ビットとした場合、上位８ビットに同相成分用の変調パターンが、下位８ビットに直交成分用の変調パターンがそれぞれ記憶されている。なお、ビットの割当ては、上位と下位が逆でも良い。
【００７６】
図８は、変調パターン記憶部３０２におけるメモリ内容の一例を示している。同相成分および直交成分用の変調パターンをこの記憶部３０２に記憶するに際しては、変調信号に一定の規則性があること、および、共通のアドレスの下、各成分用の変調パターンを組み合わせて上位ビットと下位ビットに割り当てることができることに着目して、シンボルパラメータとシンボル番号から生成される１つの共通アドレスと、正負反転有無の判定結果とから全パターンの変調信号（同相成分と直交成分）を生成できるように、同相成分および直交成分用の変調パターンの組み合わせが選択されている。このように同相成分および直交成分用の変調パターンを組み合わせて１つのアドレスの下に記憶させることにより、たとえば、２５６ワード必要なメモリ量を、９ワードのメモリ量に削減することができる。
【００７７】
次いで、上記構成を有する変調信号生成装置３００の動作について、図９のフローチャートを参照して説明する。
【００７８】
本実施の形態では、図９に示すように、ＳＴ１２１０およびＳＴ１３２０を図３に示すフローチャートに挿入し、ＳＴ１２００およびＳＴ１３００を削除している。本実施の形態では、図９のＳＴ１２１０において、同相成分用と直交成分用とを分けることなく所定の処理を行う。
【００７９】
ＳＴ１０００およびＳＴ１１００は、図３に示すフローチャートの各ステップと同様であるため、その説明を省略する。ただし、本実施の形態では、シンボルパラメータ生成部１０２で生成されたシンボルパラメータおよびシンボル番号生成部１０３で生成されたシンボル番号は、それぞれ、アドレス生成部３０１と正負反転判定部１０８の両方に出力される。
【００８０】
そして、ＳＴ１２１０では、アドレス生成部３０１で、ＳＴ１１００でそれぞれ生成したシンボルパラメータとシンボル番号とに基づいて同相成分と直交成分に共通の１つのアドレスを生成し、生成したアドレスを変調パターン記憶部３０２に出力する。また、正負反転判定部１０８で、同じくＳＴ１１００でそれぞれ生成したシンボルパラメータとシンボル番号とに基づいて変調パターンの正負反転の有無を判定し、判定結果を変調信号生成部１０９に出力する。
【００８１】
そして、ＳＴ１３２０では、変調パターン記憶部３０２から、ＳＴ１２１０で生成した１つのアドレスに対応する、同相成分および直交成分用の変調パターンの組み合わせを読み出し、読み出した組み合わせにおける同相成分および直交成分用の変調パターンを変調信号生成部１０９にそれぞれ出力する。
【００８２】
ＳＴ１４００〜ＳＴ１６００は、図３に示すフローチャートの各ステップと同様であるため、その説明を省略する。
【００８３】
このように、本実施の形態によれば、変調パターン記憶部３０２に記憶された各変調パターンが、全パターンの変調信号から所定の規則性に基づいて選択された同相成分および直交成分用の変調パターンを組み合わせて構成されているため、実施の形態１の場合よりも演算精度が劣るものの、必要なメモリ量をさらに削減することができる。たとえば、前述のように、同相成分および直交成分用の変調パターンを１つのアドレスで記憶することができるため、さらに９ワードのメモリ量を削減することができる。また、同相成分および直交成分で共通のアドレスを１つ生成するため、演算処理量を抑えることができる。
【００８４】
また、本実施の形態の変調信号生成装置３００は、もちろん、移動局装置や基地局装置に搭載することができる。よって、この場合、同様の作用効果を有する移動局装置や基地局装置を提供することができる。
【００８５】
（実施の形態４）
図１０は、本発明の実施の形態４に係る逆回転信号発生装置の構成を示すブロック図である。
【００８６】
図１に示す逆回転信号生成装置４００は、入力端子４０１と、シンボル番号生成部４０２と、余弦成分用アドレス生成部４０３と、正弦成分用アドレス生成部４０４と、余弦成分用逆回転パターン記憶部４０５と、正弦成分用逆回転パターン記憶部４０６と、正負反転判定部４０７と、逆回転信号生成部４０８と、出力端子４０９、４１０とを備えている。
【００８７】
シンボル番号生成部４０２は、入力端子４０１を介して入力された受信データから受信シンボルを抽出し、受信シンボルをカウントして得られるシンボル番号を余弦成分用アドレス生成部４０３と、正弦成分用アドレス生成部４０４と、正負反転判定部４０７とにそれぞれ出力する。
【００８８】
余弦成分用アドレス生成部４０３は、入力されたシンボル番号に基づいてアドレスを生成し、生成したアドレスを余弦成分用逆回転パターン記憶部４０５に出力する。
【００８９】
正弦成分用アドレス生成部４０４は、入力されたシンボル番号に基づいてアドレスを生成し、生成したアドレスを正弦成分用逆回転パターン記憶部４０６に出力する。
【００９０】
余弦成分用逆回転パターン記憶部４０５は、シンボル番号に基づいて生成されるアドレスに対応して余弦成分用の逆回転パターンを記憶しており、余弦成分用アドレス生成部４０３からアドレスが入力された場合に、当該アドレスに記憶された余弦成分用の逆回転パターンを逆回転信号生成部４０８に出力する。
【００９１】
正弦成分用逆回転パターン記憶部４０６は、シンボル番号に基づいて生成されるアドレスに対応して正弦成分用の逆回転パターンをメモリに記憶しており、正弦成分用アドレス生成部４０４からアドレスが入力された場合に、当該アドレスに記憶された正弦成分用の逆回転パターンを逆回転信号生成部４０８に出力する。
【００９２】
図１１（Ａ）および図１１（Ｂ）は、それぞれ、余弦成分用逆回転パターン記憶部４０５および正弦成分用逆回転パターン記憶部４０６におけるメモリ内容の一例を示している。余弦成分および正弦成分用の逆回転パターンを各記憶部４０５、４０６に記憶するに際しては、逆回転信号の規則性に着目して、シンボル番号から生成される各アドレスと、正負反転有無の判定結果とから全パターンの逆回転信号（余弦成分と正弦成分）を生成できるように、余弦成分および正弦成分用の逆回転パターンが選択されている。このように余弦成分および正弦成分用の逆回転パターンを各記憶部４０５、４０６に記憶することにより、たとえば、３２ワード必要なメモリ量を、余弦成分用５ワードと、正弦成分用５ワードの合わせて１０ワードのメモリ量に削減することができる。
【００９３】
正負反転判定部４０７は、シンボル番号に基づいて余弦成分用逆回転パターン記憶部４０５および正弦成分用逆回転パターン記憶部４０６に記憶された逆回転パターンを逆回転信号に変換するために必要な正負反転の有無を判定し、この判定結果を逆回転信号生成部４０８に出力する。
【００９４】
逆回転信号生成部４０８は、正負反転判定部４０７の判定結果に基づいて、余弦成分および正弦成分用の逆回転信号パターンの正負反転を行い、余弦成分および正弦成分の逆回転信号を生成し、生成した余弦成分および正弦成分の逆回転信号を出力端子４０９、４１０からそれぞれ出力する。
【００９５】
次いで、上記構成を有する逆回転信号生成装置４００の動作について、図１２のフローチャートを参照して説明する。
【００９６】
まず、ＳＴ２０００では、入力端子４０１から受信シンボルのビット列を入力し、シンボル番号生成部４０２に出力する。
【００９７】
そして、ＳＴ２１００では、シンボル番号生成部４０２で、ＳＴ２０００で入力されたビット列のシンボル番号をカウントして、余弦成分用アドレス生成部４０３と、正弦成分用アドレス生成部４０４と、正負反転判定部４０７とにそれぞれ出力する。
【００９８】
そして、ＳＴ２２００では、余弦成分用アドレス生成部４０３で、ＳＴ２１００で生成されたシンボル番号に基づいて余弦成分用のアドレスを生成し、生成したアドレスを余弦成分用逆回転パターン記憶部４０５に出力する。また、正弦成分用アドレス生成部４０４で、同じくＳＴ２１００で生成されたシンボル番号に基づいて正弦成分用のアドレスを生成し、生成したアドレスを正弦成分用逆回転パターン記憶部４０６に出力する。また、正負反転判定部４０７で、同じくＳＴ２１００で生成されたシンボル番号に基づいて逆回転パターンの正負反転の有無を判定し、判定結果を逆回転信号生成部４０８に出力する。
【００９９】
そして、ＳＴ２３００では、余弦成分用逆回転パターン記憶部４０５から、ＳＴ２２００で生成した余弦成分用アドレスに対応する余弦成分用の逆回転パターンを読み出し、読み出した余弦成分用の逆回転パターンを逆回転信号生成部４０８に出力する。また、正弦成分用逆回転パターン記憶部４０６から、同じくＳＴ２２００で生成した正弦成分用アドレスに対応する正弦成分用の逆回転パターンを読み出し、読み出した正弦成分用の逆回転パターンを逆回転信号生成部４０８に出力する。
【０１００】
そして、ＳＴ２４００では、逆回転信号生成部４０８で、ＳＴ２３００で読み出した余弦成分および正弦成分用の各逆回転パターンに対して、ＳＴ２２００における正負反転判定部４０７での判定結果を基に、正負反転の有無を判断する。この判断の結果として正負反転が有る場合は、ＳＴ２５００に進み、正負反転が無い場合は、ただちにＳＴ２６００に進む。
【０１０１】
ＳＴ２５００では、逆回転信号生成部４０８で、正負反転が有ると判定された逆回転パターンについて、その正負を反転した後、ＳＴ２６００に進む。なお、正負反転が無いと判定された逆回転パターンについては、正負の反転を行わない。
【０１０２】
ＳＴ２６００では、逆回転信号生成部４０８で、ＳＴ２３００で読み出した余弦成分および正弦成分用の各逆回転パターンに対してＳＴ２２００での判定結果に基づく正負反転処理（ＳＴ２４００、ＳＴ２５００）を施した結果を、それぞれ余弦成分および正弦成分の逆回転信号として、出力端子４０９、４１０からそれぞれ出力する。
【０１０３】
このように、本発明の実施の形態によれば、受信シンボルに対する全パターンの逆回転信号から所定の規則性に基づいて選択された逆回転パターンのみを記憶しておき、シンボル番号を用いてアドレスを生成し、生成したアドレスに対応づけて読み出した逆回転パターンに対してシンボル番号に応じた正負反転を行って逆回転信号を生成するため、必要なメモリ量を削減することができる。たとえば、前述のように、３２ワード必要なメモリ量を、余弦成分用５ワードと、正弦成分用５ワードの合わせて１０ワードのメモリ量に削減することができる（図１１参照）。
【０１０４】
また、上記の構成をハードウェアで実現する場合は、アドレス計算のみのハードウェア構成になるため、符号なしの少ないビット数の論理演算だけで実現することができ、回路規模を小さくすることができる。
【０１０５】
また、本実施の形態の逆回転信号生成装置４００は、もちろん、移動局装置や基地局装置に搭載することができる。よって、この場合、同様の作用効果を有する移動局装置や基地局装置を提供することができる。
【０１０６】
（実施の形態５）
図１３は、本発明の実施の形態５に係る逆回転信号生成装置の構成を示すブロック図である。なお、この逆回転信号生成装置５００は、図１０に示す逆回転信号生成装置４００と同様の基本的構成を有しており、同一の構成要素には同一の符号を付し、その説明を省略する。
【０１０７】
本実施の形態の特徴は、図１３に示すように、図１０で示した余弦成分用逆回転パターン記憶部４０５および正弦成分用逆回転パターン記憶部４０６に代えて、１つの逆回転パターン記憶部５０１を備えることである。そのため、逆回転パターン記憶部５０１には、余弦成分と正弦成分に共通の変調パターンが記憶されており、たとえば、余弦成分用アドレス生成部４０３ａで生成されたアドレスにオフセットを付けたものが正弦成分用のアドレスになるようにした上で、余弦成分用アドレス生成部４０３ａで生成されるアドレスに対応して所定の逆回転パターンが記憶されている。
【０１０８】
なお、逆回転パターン記憶部５０１には、正弦成分用アドレス生成部４０４ａで生成されるアドレスに対応して逆回転パターンを記憶するようにしても良い。この場合は、正弦成分用アドレス生成部４０４ａで生成されたアドレスにオフセットを付けたものが余弦成分用のアドレスとなる。
【０１０９】
図１４は、逆回転パターン記憶部５０１におけるメモリ内容の一例を示している。逆回転パターンをこの記憶部５０１に記憶するに際しては、逆回転信号に一定の規則性があること、および、生成された一方のアドレスにオフを付けるともう一方のアドレスにすることができることに着目して、シンボル番号から生成されるアドレスと、正負反転有無の判定結果とから全パターンの逆回転信号（余弦成分と正弦成分）を生成できるように、所定の逆回転パターンが選択されている。このように余弦成分と正弦成分に共通の逆回転パターンを１つの記憶部５０１に記憶することにより、たとえば、３２ワード必要なメモリ量を、５ワードのメモリ量に削減することができる。
【０１１０】
次いで、上記構成を有する逆回転信号生成装置５００の動作について、図１５のフローチャートを参照して説明する。なお、ここでは、逆回転パターン記憶部５０１が余弦成分用アドレス生成部４０３ａで生成されるアドレスに対応して逆回転パターンが記憶されている場合について説明するが、正弦成分用アドレス生成部４０４ａで生成されるアドレスに対応して逆回転パターンが記憶されている場合についてもほぼ同様な動作となる。
【０１１１】
本実施の形態では、図１５に示すように、ＳＴ２３１０を図１２に示すフローチャートに挿入し、ＳＴ２３００を削除している。
【０１１２】
ＳＴ２０００〜ＳＴ２２００は、図１２に示すフローチャートの各ステップと同様であるため、その説明を省略する。ただし、本実施の形態では、ＳＴ２２００で、正弦成分用アドレス生成部４０４ａで生成されるアドレスは、余弦成分用アドレス生成部４０３ａで生成されるアドレスにオフセットを付けたものになっている。また、同じくＳＴ１２００で、余弦成分用アドレス生成部４０３ａで生成されたアドレスおよび正弦成分用アドレス生成部４０４ａで生成されたアドレスは、それぞれ、逆回転パターン記憶部５０１に出力される。
【０１１３】
そして、ＳＴ２３１０では、逆回転パターン記憶部５０１から、ＳＴ２２００で生成した余弦成分用アドレスに対応する、余弦成分用にする逆回転パターンを読み出し、読み出した逆回転パターンを余弦成分用の逆回転パターンとして逆回転信号生成部４０８に出力する。また、同じ逆回転パターン記憶部５０１から、同じくＳＴ２２００で生成した正弦成分用アドレスに対応する、正弦成分用にする逆回転パターンを読み出し、読み出した逆回転パターンを正弦成分用の逆回転パターンとして逆回転信号生成部４０８に出力する。
【０１１４】
ＳＴ２４００〜ＳＴ２６００は、図１２に示すフローチャートの各ステップと同様であるため、その説明を省略する。
【０１１５】
このように、本実施の形態によれば、受信シンボルに対する全パターンの逆回転信号から所定の規則性に基づいて選択された逆回転パターンを記憶しておき、シンボル番号を用いて余弦成分および正弦成分用にする逆回転パターンのアドレスをそれぞれ生成し、生成したアドレスに対応づけて読み出した余弦成分および正弦成分用にする逆回転パターンに対してシンボル番号に応じた正負反転を行って逆回転信号を生成するため、必要なメモリ量を削減することができる。たとえば、前述のように、３２ワード必要なメモリ量を、５ワードのメモリ量に削減することができ（図１４参照）、実施の形態４の場合よりもさらに５ワードのメモリ量を削減することができる。
【０１１６】
また、上記の構成をハードウェアで実現する場合は、アドレス計算のみのハードウェア構成になるため、符号なしの少ないビット数の論理演算だけで実現することができ、回路規模を小さくすることができる。
【０１１７】
また、本実施の形態の逆回転信号生成装置５００は、もちろん、移動局装置や基地局装置に搭載することができる。よって、この場合、同様の作用効果を有する移動局装置や基地局装置を提供することができる。
【０１１８】
（実施の形態６）
図１６は、本発明の実施の形態６に係る逆回転信号生成装置の構成を示すブロック図である。なお、この逆回転信号生成装置６００は、図１０に示す逆回転信号生成装置４００と同様の基本的構成を有しており、同一の構成要素には同一の符号を付し、その説明を省略する。
【０１１９】
本実施の形態の特徴は、図１６に示すように、図１０に示す余弦成分用アドレス生成部４０３、正弦成分用アドレス生成部４０４、余弦成分用逆回転パターン記憶部４０５、および正弦成分用逆回転パターン記憶部４０６に代えて、アドレス生成部６０１と、１つの逆回転パターン記憶部６０２を備えることである。
【０１２０】
ここで、アドレス生成部６０１は、入力されたシンボル番号に基づいて、余弦成分と正弦成分に共通の１つのアドレスを生成し、逆回転パターン記憶部６０２は、アドレス生成部６０１で生成された、余弦成分と正弦成分に共通のアドレスに対応して余弦成分および正弦成分用の逆回転パターンを記憶している。たとえば、逆回転パターン記憶部６０２に記憶させる逆回転パターンのビット幅を全部で１６ビットとした場合、上位８ビットに余弦成分用の逆回転パターンが、下位８ビットに正弦成分用の逆回転パターンがそれぞれ記憶されている。なお、ビットの割当ては、上位と下位が逆でも良い。
【０１２１】
図１７は、逆回転パターン記憶部６０２におけるメモリ内容の一例を示している。余弦成分および正弦成分用の逆回転パターンをこの記憶部６０２に記憶するに際しては、逆回転信号に一定の規則性があること、および、共通のアドレスの下、各成分用の逆回転パターンを組み合わせて上位ビットと下位ビットに割り当てることができることに着目して、シンボル番号から生成される１つの共通アドレスと、正負反転有無の判定結果とから全パターンの逆回転信号（余弦成分と正弦成分）を生成できるように、余弦成分および正弦成分用の逆回転パターンの組み合わせが選択されている。このように余弦成分および正弦成分用の逆回転パターンを組み合わせて１つのアドレスの下に記憶させることにより、たとえば、３２ワード必要なメモリ量を、５ワードのメモリ量に削減することができる。
【０１２２】
次いで、上記構成を有する逆回転信号生成装置６００の動作について、図１８のフローチャートを参照して説明する。
【０１２３】
本実施の形態では、図１８に示すように、ＳＴ２２１０およびＳＴ２３２０を図１２に示すフローチャートに挿入し、ＳＴ２２００およびＳＴ２３００を削除している。本実施の形態では、図１８のＳＴ２２１０において、余弦成分用と正弦成分用とを分けることなく所定の処理を行う。
【０１２４】
ＳＴ２０００およびＳＴ２１００は、図１２に示すフローチャートの各ステップと同様であるため、その説明を省略する。ただし、本実施の形態では、シンボル番号生成部４０２で生成されたシンボル番号は、アドレス生成部６０１と正負反転判定部４０７の両方に出力される。
【０１２５】
そして、ＳＴ２２１０では、アドレス生成部６０１で、ＳＴ２１００で生成したシンボル番号に基づいて余弦成分と正弦成分に共通の１つのアドレスを生成し、生成したアドレスを逆回転パターン記憶部６０２に出力する。また、正負反転判定部４０７で、入同じくＳＴ２１００で生成したシンボル番号に基づいて逆回転パターンの正負反転の有無を判定し、判定結果を逆回転信号生成部４０８に出力する。
【０１２６】
そして、ＳＴ２３２０では、逆回転パターン記憶部６０２から、ＳＴ２２１０で生成した１つのアドレスに対応する、余弦成分および正弦成分用の逆回転パターンの組み合わせを読み出し、読み出した組み合わせにおける余弦成分および正弦成分用の逆回転パターンを逆回転信号生成部４０８にそれぞれ出力する。
【０１２７】
ＳＴ２４００〜ＳＴ２６００は、図１２に示すフローチャートの各ステップと同様であるため、その説明を省略する。
【０１２８】
このように、本実施の形態によれば、逆回転パターン記憶部６０２に記憶された各逆回転パターンが、全パターンの逆回転信号から所定の規則性に基づいて選択された余弦成分および正弦成分用の逆回転パターンを組み合わせて構成されているため、実施の形態４の場合よりも演算精度が劣るものの、必要なメモリ量を削減することができる。たとえば、前述のように、余弦成分および正弦成分用の逆回転パターンを１つのアドレスで記憶することができるため、さらに５ワードのメモリ量を削減することができる。また、余弦成分および正弦成分で共通のアドレスを１つ生成するため、演算処理量を抑えることができる。
【０１２９】
また、本実施の形態の逆回転信号生成装置６００は、もちろん、移動局装置や基地局装置に搭載することができる。よって、この場合、同様の作用効果を有する移動局装置や基地局装置を提供することができる。
【０１３０】
【発明の効果】
以上説明したように、本発明によれば、必要なメモリ量を削減することができる。
【図面の簡単な説明】
【図１】本発明の実施の形態１に係る変調信号生成装置の構成を示すブロック図
【図２】本発明の実施の形態１に係る同相成分の変調パターンおよび直交成分の変調パターンを記憶したメモリ内容の一例を示す図
【図３】本発明の実施の形態１に係る変調信号生成装置の動作を示すフローチャート
【図４】本発明の実施の形態２に係る変調信号生成装置の構成を示すブロック図
【図５】本発明の実施の形態２に係る変調パターンを記憶したメモリ内容の一例を示す図
【図６】本発明の実施の形態２に係る変調信号生成装置の動作を示すフローチャート
【図７】本発明の実施の形態３に係る変調信号生成装置の構成を示すブロック図
【図８】本発明の実施の形態３に係る同相成分および直交成分の変調パターンを記憶したメモリ内容の一例を示す図
【図９】本発明の実施の形態３に係る変調信号生成装置の動作を示すフローチャート
【図１０】本発明の実施の形態４に係る逆回転信号生成装置の構成を示すブロック図
【図１１】本発明の実施の形態４に係る余弦成分の逆回転パターンおよび正弦成分の逆回転パターンを記憶したメモリ内容の一例を示す図
【図１２】本発明の実施の形態４に係る逆回転信号生成装置の動作を示すフローチャート
【図１３】本発明の実施の形態５に係る逆回転信号生成装置の構成を示すブロック図
【図１４】本発明の実施の形態５に係る逆回転パターンを記憶したメモリ内容の一例を示す図
【図１５】本発明の実施の形態５に係る逆回転信号生成装置の動作を示すフローチャート
【図１６】本発明の実施の形態６に係る逆回転信号生成装置の構成を示すブロック図
【図１７】本発明の実施の形態６に係る余弦成分および正弦成分の逆回転パターンを記憶したメモリ内容の一例を示す図
【図１８】本発明の実施の形態６に係る逆回転信号生成装置の動作を示すフローチャート
【図１９】シンボルパラメータ生成表の一例を示す図
【図２０】マッピング位置の一例を示す図
【符号の説明】
１０１、４０１  入力端子
１０２  シンボルパラメータ生成部
１０３、４０２  シンボル番号生成部
１０４、１０４ａ  同相成分用アドレス生成部
１０５、１０５ａ  直交成分用アドレス生成部
１０６  同相成分用変調パターン記憶部
１０７  直交成分用変調パターン記憶部
１０８、４０７  正負反転判定部
１０９  変調信号生成部
１１０、１１１、４０９、４１０  出力端子
２０１、３０２  変調パターン記憶部
３０１、６０１  アドレス生成部
４０３、４０３ａ  余弦成分用アドレス生成部
４０４、４０４ａ  正弦成分用アドレス生成部
４０５  余弦成分用逆回転パターン記憶部
４０６  正弦成分用逆回転パターン記憶部
４０８  逆回転信号生成部
５０１、６０２  逆回転パターン記憶部
【図１】
0003822114.tif 000002
【図２】
0003822114.tif 000003
【図３】
0003822114.tif 000004
【図４】
0003822114.tif 000005
【図５】
0003822114.tif 000006
【図６】
0003822114.tif 000007
【図７】
0003822114.tif 000008
【図８】
0003822114.tif 000009
【図９】
0003822114.tif 000010
【図１０】
0003822114.tif 000011
【図１１】
0003822114.tif 000012
【図１２】
0003822114.tif 000013
【図１３】
0003822114.tif 000014
【図１４】
0003822114.tif 000015
【図１５】
0003822114.tif 000016
【図１６】
0003822114.tif 000017
【図１７】
0003822114.tif 000018
【図１８】
0003822114.tif 000019
【図１９】
0003822114.tif 000020
【図２０】
0003822114.tif 000021